(57)【要約】  本発明に係る空気調和機の室内機は、室内機本体の下部にケースを固定する第１固定機構と、前記ケースの下部に化粧パネルを固定する第２固定機構と、を備えている。前記第２固定機構は、前記ケースの側面部に取り付けられた第１固定金具と、前記第１固定金具及び前記化粧パネルに固定される第２固定金具と、を備えている。前記第２固定金具は、前記第１固定金具に固定されていない状態では待避位置と前記化粧パネルが固定される位置である固定位置との間を往復動自在となるように、前記第１固定金具に取り付けられている。そして、本発明に係る空気調和機の室内機は、前記第２固定金具が前記待避位置に移動した際、平面視において第１固定機構のネジ止め部と重なる位置に、工具が挿入自在な第１空間が配置される構成となっている。
2019159314.tif 000002
【特許請求の範囲】
【請求項１】
室内機本体と、
前記室内機本体の下部に取り付けられたケースと、
前記ケースの下部に取り付けられた化粧パネルと、
前記室内機本体と前記ケースとを固定するネジ止め部を有する第１固定機構と、
前記ケースと前記化粧パネルとを固定する第２固定機構と、
を備え、
前記第２固定機構は、前記ケースの側面部に取り付けられた第１固定金具と、
前記第１固定金具及び前記化粧パネルに固定される第２固定金具と、
を備え、
前記第２固定金具は、前記第１固定金具に固定されていない状態では待避位置と前記化粧パネルが固定される位置である固定位置との間を往復動自在となるように、前記第１固定金具に取り付けられており、
前記第２固定金具が前記待避位置に移動した際、平面視において前記ネジ止め部と重なる位置に、前記ネジ止め部で前記室内機本体と前記ケースとを固定する際に用いられる工具が挿入自在な第１空間が配置される構成である空気調和機の室内機。
【請求項２】
前記第２固定金具が前記待避位置に移動した際、前記第１固定金具と前記第２固定金具との間に、前記第１空間となる空間が形成される請求項１に記載の空気調和機の室内機。
【請求項３】
前記第１固定金具は、前記ケースの前記側面部から離れる方向に突出する凸部を有し、
前記第２固定金具には、前記凸部が摺動自在に挿入された貫通穴が形成されており、
前記第２固定金具は、前記第１固定金具に固定されていない状態では、前記ケースの前記側面部に近づく方向及び前記ケースの前記側面部から離れる方向に往復動自在な構成となっており、
前記第２固定金具の前記待避位置は、前記第２固定金具の前記固定位置よりも前記ケースの前記側面部から離れた位置となり、
前記第２固定金具が前記待避位置に移動した際、前記第１固定金具と前記第２固定金具との間に、前記第１空間となる空間が形成される構成である請求項２に記載の空気調和機の室内機。
【請求項４】
前記第２固定金具には、上下方向に貫通する開口が形成されており、
前記開口は、前記第２固定金具が前記待避位置に移動した際、平面視において前記ネジ止め部と重なる位置に配置され、前記第１空間となる請求項１に記載の空気調和機の室内機。
【請求項５】
前記第１固定金具は、前記ケースの前記側面部から離れる方向に突出する凸部を有し、
前記第２固定金具には、前記凸部が挿入された貫通穴が形成されており、
前記第２固定金具は、前記貫通穴の横方向の幅が前記凸部の横方向の幅よりも広く、前記第１固定金具に固定されていない状態では前記ケースの前記側面部に沿って往復動自在な構成である請求項４に記載の空気調和機の室内機。
【請求項６】
前記凸部は、先端に、前記第２固定金具と接触し、前記貫通穴から前記凸部が抜け出ることを防止するストッパーを備えている請求項３又は請求項５に記載の空気調和機の室内機。
【請求項７】
前記凸部は、前記第２固定金具が前記待避位置に配置されている状態において前記貫通穴と対向する位置に切り欠き部を有し、
前記切り欠き部に前記貫通穴の周縁をかみ合わせることにより、前記第２固定金具が固定される構成である請求項３、請求項５又は請求項６に記載の空気調和機の室内機。
【発明の詳細な説明】
【技術分野】
【０００１】
本発明は、空調対象空間の天井に埋め込まれて、あるいは空調対象空間の天井に吊り下げられて設置される空気調和機の室内機の据付構造に関するものである。
【背景技術】
【０００２】
従来の空気調和機の室内機には、空調対象空間の天井に埋め込まれて、あるいは空調対象空間の天井に吊り下げられて設置されるものが存在する。このように設置される従来の室内機としては、例えば、筐体の下面部に吸込口及び吹出口が形成された室内機が知られている。さらに、このように設置される従来の室内機には、室内機本体、ケース及び化粧パネルで筐体を構成するものも提案されている（例えば、特許文献１参照）。【０００３】
室内機本体には、熱交換器が収納されている。ケースは、室内機に機能を追加したい場合に設けられる。ケースには、追加機能を実現するための追加機構が設けられている。なお、特許文献１に記載の室内機では、追加機構として、ケースに、吹出口から吹き出される空気の横方向の角度を調節する左右風向調節部が設けられている。化粧パネルは、筐体の下面部を構成するものであり、吸込口及び吹出口が形成されている。室内機本体、ケース及び化粧パネルで筐体を構成する場合、ケースは、固定機構により、室内機本体の下部に取り付けられる。化粧パネルは、固定機構により、ケースの下部に取り付けられる。以下、室内機本体とケースとを固定する固定機構を第１固定機構と称する。また、ケースと化粧パネルとを固定する固定機構を第２固定機構と称する。
【先行技術文献】
【特許文献】
【０００４】
【特許文献１】特開２０１０−２１０１３２号公報
【発明の概要】
【発明が解決しようとする課題】
【０００５】
室内機本体、ケース及び化粧パネルで筐体が構成された従来の空気調和機の室内機においては、当該室内機を据え付ける際、ケースに設けられた追加機構を用いない場合には、ケースを設けない場合がある。すなわち、ケースを設ける場合、室内機本体の下部にケースが取り付けられ、ケースの下部に化粧パネルが取り付けられる。また、ケースを設けない場合、室内機本体の下部に化粧パネルが取り付けられる。【０００６】
室内機本体とケースとを固定する第１固定機構は、一般的に、室内機本体及びケースの角部等のような固定作業が容易な箇所に設けられる。また、室内機本体とケースとを固定する際、空調対象空間の天井に取り付けられた室内機本体に、ケースが固定されることとなる。このため、据付作業者は、室内機本体及びケースの下方から工具を第１固定機構の雄ネジに接続し、該雄ネジを締めて室内機本体及びケースを固定することとなる。同様に、ケースと化粧パネルとを固定する第２固定機構も、一般的に、ケース及び化粧パネルの角部等のような固定作業が容易な箇所に設けられる。【０００７】
すなわち、従来の空気調和機の室内機においては、ケースを設ける場合、ケース及び化粧パネルを固定する第２固定機構が、室内機本体及びケースを固定する第１固定機構の下方に配置される。そして、第２固定機構と第１固定機構とが平面視において重なりあう。このため、従来の空気調和機の室内機においては、室内機本体及びケースの下方から工具を挿入して室内機本体及びケースを固定する際、ケース及び化粧パネルを固定する第２固定機構が邪魔になり、室内機本体及びケースを固定することができない。このため、従来の空気調和機の室内機においては、室内機本体及びケースを固定する際、ケース及び化粧パネルを固定する第２固定機構の構成部品の少なくとも一部を一旦取り外し、取り外した部品を一時的に仮置きする必要があった。したがって、室内機本体、ケース及び化粧パネルで筐体が構成された従来の空気調和機の室内機は、据付作業性が悪いという課題があった。【０００８】
本発明は、上記の課題を解決するためになされたもので、従来よりも据付作業性が向上する空気調和機の室内機を得ることを目的とする。
【課題を解決するための手段】
【０００９】
本発明に係る空気調和機の室内機は、室内機本体と、前記室内機本体の下部に取り付けられたケースと、前記ケースの下部に取り付けられた化粧パネルと、前記室内機本体と前記ケースとを固定するネジ止め部を有する第１固定機構と、前記ケースと前記化粧パネルとを固定する第２固定機構と、を備え、前記第２固定機構は、前記ケースの側面部に取り付けられた第１固定金具と、前記第１固定金具及び前記化粧パネルに固定される第２固定金具と、を備え、前記第２固定金具は、前記第１固定金具に固定されていない状態では待避位置と前記化粧パネルが固定される位置である固定位置との間を往復動自在となるように、前記第１固定金具に取り付けられており、前記第２固定金具が前記待避位置に移動した際、平面視において前記ネジ止め部と重なる位置に、前記ネジ止め部で前記室内機本体と前記ケースとを固定する際に用いられる工具が挿入自在な第１空間が配置される構成となっている。
【発明の効果】
【００１０】
本発明に係る空気調和機の室内機においては、ケースを室内機本体に固定する際、第２固定機構の構成部品を取り外す必要がなく、第２固定機構の構成部品を仮置きする必要がない。したがって、本発明に係る空気調和機の室内機は、従来よりも据付作業性を向上させることが出来る。
【図面の簡単な説明】
【００１１】
【図１】本発明の実施の形態１に係る空気調和機の室内機を斜め上方から見た斜視図である。
【図２】本発明の形態１に係る空気調和機の室内機を斜め上方から見た分解斜視図である。
【図３】本発明の実施の形態１に係る空気調和機の室内機の分解斜視図であり、室内機の角部周辺を斜め上方から観察した図である。
【図４】本発明の実施の形態１に係る第１固定機構及び第２固定機構周辺を斜め下方から見た斜視図である。
【図５】本発明の実施の形態１に係る第１固定機構及び第２固定機構周辺を斜め下方から見た斜視図である。
【図６】本発明の実施の形態１に係る第２固定機構の第２固定金具を斜め上方から見た斜視図である。
【図７】本発明の実施の形態１に係る第２固定機構の第１固定金具を斜め下方から見た斜視図である。
【図８】本発明の実施の形態１に係る第２固定機構を斜め上方から見た斜視図であり、第２固定機構の動作を説明するための図である。
【図９】本発明の実施の形態２に係る第１固定機構及び第２固定機構周辺を斜め下方から見た斜視図である。
【図１０】本発明の実施の形態２に係る第２固定機構の第２固定金具を斜め上方から見た斜視図である。
【図１１】本発明の実施の形態２に係る第２固定機構の第１固定金具を斜め下方から見た斜視図である。
【図１２】本発明の実施の形態２に係る第２固定機構を斜め上方から見た斜視図であり、第２固定機構の動作を説明するための図である。
【図１３】本発明の実施の形態３に係る空気調和機の一例を示す冷媒回路図である。
【発明を実施するための形態】
【００１２】
以下、本発明に係る空気調和機の室内機の一例について、図面等を参照しながら説明する。なお、以下の各図面において、同一の符号を付した構成は、同一又はこれに相当する構成である。なお、以下の実施の形態で記載されている各構成の形態は、あくまでも例示である。本発明に係る空気調和機の室内機は、以下の実施の形態で記載されている各構成に限定されるものではない。また、構成同士の組み合わせは、同一の実施の形態における組み合わせのみに限定するものではなく、異なる実施の形態に記載した構成同士を組み合わせてもよい。また、以下の各図面では、各構成部材の大きさの関係が本発明を実施した実物とは異なる場合がある。
【００１３】
実施の形態１．
図１は、本発明の実施の形態１に係る空気調和機の室内機を斜め上方から見た斜視図である。また、図２は、本発明の形態１に係る空気調和機の室内機を斜め上方から見た分解斜視図である。
本実施の形態１に係る空気調和機の室内機１００は、部屋等の空調対象空間の天井に埋め込まれて、あるいは空調対象空間の天井に吊り下げられて設置されるものである。この室内機１００は、下面部に吸込口３ａ及び吹出口３ｂが形成された筐体１を備えている。なお、本実施の形態１では、４つの吹出口３ｂが形成された例を示している。筐体１は、例えば、内部が空洞となった略直方体形状の箱体である。吸込口３ａは、例えば、筐体１の下面部の略中央部に形成されている。４つの吹出口３ｂは、吸込口３ａの四方を囲むように形成されている。これら吹出口３ｂは、例えば長方形状をしており、長辺が筐体１の下面部の各辺に沿うように配置されている。
【００１４】
本実施の形態１に係る筐体１は、室内機本体２及び化粧パネル３を備えている。
室内機本体２は、例えば、平面視において角部に面取り形状を有する、略直方体形状の箱体である。換言すると、室内機本体２は、平面視において略八角形状となっている。室内機本体２は、下面部が開口しており、内部に図示せぬ送風機及び熱交換器等が収納されている。化粧パネル３は、例えば略四角形状の板状体であり、筐体１の下面部を構成するものである。この化粧パネル３に、上述の吸込口３ａ及び吹出口３ｂが形成されている。すなわち、室内機本体２の内部で図示せぬ送風機が回転することによって、空調対象空間の空気は、化粧パネル３の吸込口３ａから室内機本体２内に吸い込まれる。また、室内機本体２内に流入した空調対象空間の空気は、図示せぬ熱交換器を通る際に該熱交換器の冷媒流路内を流れる冷媒と熱交換して空調空気となり、化粧パネル３の吹出口３ｂから空調対象空間へ吹き出される。
【００１５】
また、本実施の形態１に係る筐体１は、ケース４を備えている。ケース４は、室内機１００に機能を追加したい場合に設けられる。ケース４には、追加機能を実現するための追加機構が設けられている。筐体１がケース４を備える場合、ケース４は、第１固定機構１０により、室内機本体２の下部に取り付けられる。化粧パネル３は、第２固定機構２０により、ケース４の下部に取り付けられる。また、筐体１がケース４を備えない場合、室内機本体２の下部に化粧パネル３が取り付けられることとなる。なお、第１固定機構１０及び第２固定機構２０については後述する。
【００１６】
本実施の形態１では、追加機構として、ケース４に、吹出口３ｂから吹き出される空気の横方向の角度を調節する左右風向調節部５が設けられている。詳しくは、ケース４は、平面視において、室内機本体２と略同形状をしている。すなわち、ケース４は、平面視において、角部に面取り形状を有する略直方体形状をしている。このケース４には、吸込流路４ａと、吹出流路４ｂとが形成されている。吸込流路４ａは、化粧パネル３の吸込口３ａから吸い込まれた空調対象空間の空気を室内機本体２内へ導く流路である。吹出流路４ｂは、室内機本体２内の空調空気を化粧パネル３の吹出口３ｂへ導く流路である。吹出流路４ｂは、吹出口３ｂと同数形成されている。左右風向調節部５は、各吹出流路４ｂに設けられている。
【００１７】
左右風向調節部５は、複数の左右風向調節板５ａを備えている。複数の左右風向調節板５ａは、吹出流路４ｂ内において、吹出流路４ｂの長手方向（横方向）に、規定の間隔を空けて配置されている。左右風向調節板５ａのそれぞれは、揺動自在に吹出流路４ｂ内に配置されている。例えば、左右風向調節板５ａのそれぞれは、下端部が左右方向に揺動する。そして、左右風向調節板５ａの下端部が移動した方向に、吹出口３ｂから吹き出される空調空気は曲がって吹き出されることとなる。左右風向調節板５ａの揺動は、左右風向調節部５の図示せぬ駆動モーターの動力によって行われる。
【００１８】
続いて、第１固定機構１０及び第２固定機構２０について説明する。
【００１９】
図３は、本発明の実施の形態１に係る空気調和機の室内機の分解斜視図であり、室内機の角部周辺を斜め上方から観察した図である。
室内機本体２とケース４とを固定する第１固定機構１０は、例えば、筐体１の各角部に設けられている。ケース４と化粧パネル３とを固定する第２固定機構２０も、例えば、筐体１の各角部に設けられている。
【００２０】
第１固定機構１０は、固定金具１１及び固定金具１２を備えている。固定金具１１は、室内機本体２の側面部２ａに取り付けられている。固定金具１１には、雌ネジ１１ａが形成されている。雌ネジ１１ａは、雄ネジ１３がねじ込まれる雌ネジである。固定金具１２は、固定金具１１の下方となる位置において、ケース４の側面部４ｃに取り付けられている。固定金具１２には、貫通穴１２ａが形成されている。貫通穴１２ａは、雄ネジ１３が貫通する貫通穴である。なお、本実施の形態１では、雄ネジ１３は、可撓性を有する雄ネジ保持部材１２ｂに保持されている。雄ネジ保持部材１２ｂは、例えば、固定金具１２に取り付けられている。
【００２１】
固定金具１２の貫通穴１２ａに貫通した雄ネジ１３を下方から雌ネジ１１ａにねじ込んでいくことにより、雄ネジ１３の頭部と固定金具１１の下面との間に、固定金具１２が挟み込まれる。これにより、ケース４は、室内機本体２に固定される。すなわち、雌ネジ１１ａ及び雄ネジ１３が、室内機本体２とケース４とを固定するネジ止め部となる。また、雌ネジ１１ａの位置が、室内機本体２とケース４とを固定するネジ止め部の位置となる。
【００２２】
第２固定機構２０は、第１固定金具２１及び第２固定金具２２を備えている。第１固定金具２１は、固定金具１２の下方となる位置において、ケース４の側面部４ｃに取り付けられている。第２固定金具２２は、第１固定金具２１に固定されている。この第２固定金具２２は、化粧パネル３とも固定される。これにより、ケース４と化粧パネル３とが、第２固定機構２０により固定されることとなる。すなわち、第２固定金具２２は、第１固定金具２１及び化粧パネル３に固定されるものである。詳しくは、第２固定金具２２には、雌ネジ２２ｄが形成されている。雌ネジ２２ｄは、雄ネジ２４がねじ込まれる雌ネジである。一方、化粧パネル３には、例えば各角部に、貫通穴３ｃが形成されている。貫通穴３ｃに貫通した雄ネジ２４を下方から雌ネジ２２ｄにねじ込んでいくことにより、雄ネジ２４の頭部と第２固定金具２２の下面との間に、化粧パネル３が挟み込まれる。これにより、化粧パネル３は、第２固定金具２２に固定される。
【００２３】
ここで、上述のように、筐体１がケース４を備えない場合、室内機本体２の下部に化粧パネル３が取り付けられることとなる。すなわち、筐体１がケース４を備えない場合、化粧パネル３の貫通穴３ｃに貫通した雄ネジ２４を下方から固定金具１１の雌ネジ１１ａにねじ込んでいくことにより、雄ネジ２４の頭部と固定金具１１の下面との間に、化粧パネル３が挟み込まれる。これにより、化粧パネル３は、室内機本体２に固定される。このように、化粧パネル３が室内機本体２及びケース４の双方に接続できるようにするためには、固定金具１１の雌ネジ１１ａの位置と第２固定金具２２の雌ネジ２２ｄとを、平面視において同位置にしなければならない。
【００２４】
しかしながら、固定金具１１の雌ネジ１１ａの位置と第２固定金具２２の雌ネジ２２ｄとを平面視において同位置にした場合、次のような課題が発生する。本実施の形態１に係る室内機１００は、部屋等の空調対象空間の天井に埋め込まれて、あるいは空調対象空間の天井に吊り下げられて設置されるものである。このような室内機１００においては、据付作業者は、室内機１００の下方から据付作業を行う。すなわち、ケース４を室内機本体２に固定する際、雌ネジ１１ａにねじ込まれる雄ネジ１３に下方からドライバー等の工具を接続し、該雄ネジ１３を回す必要がある。この際、第２固定機構２０の第２固定金具２２が雄ネジ１３の下方を覆ってしまうため、雄ネジ１３に工具を接続することが困難となる。そこで、本実施の形態１に係る第２固定機構２０は、次のように構成されている。
【００２５】
図４及び図５は、本発明の実施の形態１に係る第１固定機構及び第２固定機構周辺を斜め下方から見た斜視図である。図６は、本発明の実施の形態１に係る第２固定機構の第２固定金具を斜め上方から見た斜視図である。図７は、本発明の実施の形態１に係る第２固定機構の第１固定金具を斜め下方から見た斜視図である。また、図８は、本発明の実施の形態１に係る第２固定機構を斜め上方から見た斜視図であり、第２固定機構の動作を説明するための図である。なお、図４及び図５は、ケース４の下部に化粧パネル３が取り付けられていない状態を示している。また、図４及び図８（ａ）は、第２固定機構２０の第２固定金具２２が固定位置に配置されている状態を示している。また、図５、図８（ｂ）及び図８（ｃ）は、第２固定機構２０の第２固定金具２２が待避位置に配置されている状態を示している。ここで、固定位置とは、第２固定金具２２に化粧パネル３が取り付けられるときの、第２固定金具２２の位置である。また、待避位置とは、雄ネジ１３に工具３１が接続可能となる第２固定金具２２の位置である。
【００２６】
第１固定金具２１は、ケース４の側面部４ｃから離れる方向に突出する凸部２１ａを有している。本実施の形態１では、第１固定金具２１は、２つの凸部２１ａを有している。凸部２１ａには、雌ネジ２１ｂが形成されている。雌ネジ２１ｂは、雄ネジ２３がねじ込まれる雌ネジである。
【００２７】
第２固定金具２２は、第１固定金具２１に固定されていない状態では待避位置と固定位置との間を往復動自在となるように、第１固定金具２１に取り付けられている。具体的には、本実施の形態１に係る第２固定金具２２は、次のような構成となっている。第２固定金具２２は、上下方向に延びる上下方向配置部２２ｅと、横方向に延びる横方向配置部２２ｆと、を有している。すなわち、第２固定金具２２は、上下方向配置部２２ｅ及び横方向配置部２２ｆによって、断面Ｌ字状に形成されている。なお、化粧パネル３を固定する際に使用する雌ネジ２２ｄは、横方向配置部２２ｆに形成されている。
【００２８】
また、第２固定金具２２には、貫通穴２２ａが形成されている。貫通穴２２ａは、横方向に延びる貫通穴であり、上下方向配置部２２ｅに形成されている。貫通穴２２ａには、第１固定金具２１の凸部２１ａが摺動自在に挿入されている。すなわち、第２固定金具２２は、第１固定金具２１に固定されていない状態では、ケース４の側面部４ｃに近づく方向及びケース４の側面部４ｃから離れる方向に往復動自在となっている。なお、図４、図５及び図８に示すように、最もケース４の側面部４ｃに近づいた第２固定金具２２の位置が、固定位置となっている。また、第２固定金具２２の待避位置は、固定位置よりも、ケース４の側面部４ｃから離れた位置となっている。
【００２９】
また、第２固定金具２２には、貫通穴２２ｂが形成されている。貫通穴２２ｂは、貫通穴２２ａと交差するように延びる貫通穴であり、横方向配置部２２ｆから上下方向配置部２２ｅに跨がって形成されている。貫通穴２２ｂにおける横方向配置部２２ｆに形成されている部分は、第２固定金具２２が固定位置に配置されているとき、第１固定金具２１の雌ネジ２１ｂと対向する位置となる。このため、第２固定金具２２は、次のように第１固定金具２１に固定される。まず、第２固定金具２２を固定位置に配置する。そして、貫通穴２２ｂにおける横方向配置部２２ｆに形成されている部分に雄ネジ２３を貫通させ、該雄ネジ２３を下方から雌ネジ２１ｂにねじ込んでいく。これにより、雄ネジ２３の頭部と第１固定金具２１の下面との間に第２固定金具２２が挟み込まれ、第２固定金具２２は第１固定金具２１に固定される。
【００３０】
一方、第２固定金具２２を待避位置に移動する場合、雄ネジ２３を緩める。これにより、第２固定金具２２は、第１固定金具２１に対して往復動自在となる。したがって、図８（ｂ）に白抜き矢印で示すように第２固定金具２２を動かすことにより、待避位置へ移動することができる。なお、図５、図８（ｂ）及び図８（ｃ）では、雄ネジ２３を第１固定金具２１の雌ネジ２１ｂから外し、第２固定金具２２を第１固定金具２１に対して往復動自在としている。しかしながら、第１固定金具２１を第１固定金具２１に対して往復動自在とする際、雄ネジ２３を第１固定金具２１の雌ネジ２１ｂから外さなくてもよい。雄ネジ２３をある程度緩めることにより、つまり雄ネジ２３をある程度下方に移動させることにより、雄ネジ２３における雌ネジ２１ｂよりも上方に突出した部分は、貫通穴２２ｂにおける上下方向配置部２２ｅに形成されている部分を通過することができる。すなわち、雄ネジ２３をある程度緩めることにより、固定位置と待避位置との間を第２固定金具２２が移動する際、第２固定金具２２と雄ネジ２３との干渉を防止できる。
【００３１】
図５、図８（ｂ）及び図８（ｃ）に示すように、第２固定金具２２前記待避位置に移動した際、第１固定金具２１と第１固定金具２１との間に、空間が形成される。また、図５からわかるように、この空間は、平面視において、室内機本体２とケース４とを固定するネジ止め部となる雌ネジ１１ａ及び雄ネジ１３と重なる位置となる。このため、この空間にドライバー等の工具３１を挿入し、下方から雄ネジ１３に工具３１を接続することにより、雄ネジ１３を回すことができ、室内機本体２とケース４とを固定することができる。ここで、ネジ止め部で室内機本体２とケース４とを固定する際に用いられる工具３１が挿入自在な空間を、第１空間３０と称することとする。すなわち、第２固定金具２２が待避位置に移動した際、平面視においてネジ止め部と重なる位置に、ネジ止め部で室内機本体２とケース４とを固定する際に用いられる工具３１が挿入自在な第１空間３０が、配置される。
【００３２】
なお、第２固定金具２２が固定位置に配置されている状態においては、第２固定金具２２の上下方向配置部２２ｅは、雄ネジ２３とケース４との間に配置される。そして、雄ネジ２３が雌ネジ２１ｂに規定長さ以上ねじ込まれた状態においては、貫通穴２２ｂの上端２２ｃは雄ネジ２３の先端２３ａより低い位置となる。貫通穴２２ｂの上端２２ｃと雄ネジ２３の先端２３ａとの高さ関係をこのようにすることで、雄ネジ２３の締め付け不足及び振動等によって第２固定金具２２を固定している雄ネジ２３に緩みが生じた場合でも、雄ネジ２３が上下方向配置部２２ｅに引っ掛かる。このため、雄ネジ２３に緩みが生じた場合でも、第２固定金具２２が第１固定金具２１から外れることを防止できる。
【００３３】
また、本実施の形態１に係る第１固定金具２１の凸部２１ａは、先端に、第２固定金具２２と接触し、第２固定金具２２の貫通穴２２ａから凸部２１ａが抜け出ることを防止するストッパー２１ｃを備えている。本実施の形態１では、凸部２１ａの先端部を折り曲げ、ストッパー２１ｃを形成している。ストッパー２１ｃを設けることにより、第２固定金具２２をケース４から遠ざかるように移動させた際、第２固定金具２２の上下方向配置部２２ｅがストッパー２１ｃに接触し、第２固定金具２２が第１固定金具２１から外れることを防止できる。
【００３４】
また、本実施の形態１に係る第１固定金具２１の凸部２１ａは、第２固定金具２２が待避位置に配置されている状態において貫通穴２２ａと対向する位置に、切り欠き部２１ｄを有している。このため、切り欠き部２１ｄに貫通穴２２ａの周縁をかみ合わせることにより、第２固定金具２２が第１固定金具２１に固定されることとなる。待避位置で第２固定金具２２を固定することにより、室内機本体２とケース４との固定作業中に第２固定金具２２が固定位置側に移動して当該固定作業の邪魔になることを防止できる。このため、室内機本体２とケース４との固定作業が容易となる。
【００３５】
続いて、本実施の形態１に係る室内機１００の据付動作について説明する。
室内機１００を据え付ける際、まず、室内機本体２を空調対象空間の天井に固定する。そして、室内機本体２の下部に、ケース４を取り付ける。具体的には、図５に示すように、雄ネジ１３を下方から固定金具１１の雌ネジ１１ａにねじ込んでいくことにより、雄ネジ１３の頭部と固定金具１１の下面との間に、ケース４に設けられた固定金具１２を挟み込む。これにより、ケース４は、室内機本体２に固定される。
【００３６】
なお、雄ネジ１３を雌ネジ１１ａにねじ込んでいく際、第２固定金具２２が図４及び図８（ａ）に示す固定位置にあると、工具３１を雄ネジ１３に接続することができない。このため、雄ネジ１３を雌ネジ１１ａにねじ込む前に、雄ネジ２３を緩めて、第２固定金具２２を図５に示す待避位置へ移動させる。具体的には、図８（ｂ）に白抜き矢印で示すように、第２固定金具２２をケース４から遠ざかるように移動させる。そして、図８（ｃ）に白抜き矢印で示すように、第２固定金具２２を切り欠き部２１ｄの形成方向にスライドさせる。これにより、切り欠き部２１ｄに貫通穴２２ａの周縁がかみ合い、待避位置にて第２固定金具２２が第１固定金具２１に固定される。
【００３７】
ここで、本実施の形態１に係る第１固定機構１０では、上述のように、雄ネジ１３は、可撓性を有する雄ネジ保持部材１２ｂに保持されている。雄ネジ１３が雄ネジ保持部材１２ｂに保持されていない場合、工具３１の先端に雄ネジ１３を取り付け、この状態で工具３１及び雄ネジ１３を第１空間３０に通し、雄ネジ１３を雌ネジ１１ａにねじ込むこととなる。このような作業では、雄ネジ１３を雌ネジ１１ａにねじ込む前に、雄ネジ１３を落下させてしまう場合がある。しかしながら、雄ネジ１３が雄ネジ保持部材１２ｂに保持されている場合、雄ネジ１３を雌ネジ１１ａにねじ込む作業において、雄ネジ１３が落下することはない。このため、雄ネジ１３を雄ネジ保持部材１２ｂに保持することにより、据付作業性を向上させることができる。
【００３８】
ケース４を室内機本体２の下部へ取り付けた後、化粧パネル３をケース４の下部に取り付ける。具体的には、まず、第２固定金具２２を、図４及び図８（ａ）に示す固定位置に移動させる。そして、雄ネジ２３を下方から雌ネジ２１ｂにねじ込んでいくことにより、雄ネジ２３の頭部と第１固定金具２１の下面との間に、第２固定金具２２を挟み込む。これにより、第２固定金具２２は、第１固定金具２１に固定される。
【００３９】
第２固定金具２２を固定位置で固定した後、雄ネジ２４を下方から雌ネジ２２ｄにねじ込んでいくことにより、雄ネジ２４の頭部と第２固定金具２２の下面との間に、化粧パネル３が挟み込まれる。これにより、化粧パネル３は、ケース４に固定される。
【００４０】
以上、本実施の形態１に係る空気調和機の室内機１００は、室内機本体２と、室内機本体２の下部に取り付けられたケース４と、ケース４の下部に取り付けられた化粧パネル３と、を備えている。また、室内機１００は、室内機本体２とケース４とを固定するネジ止め部を有する第１固定機構１０と、ケース４と化粧パネル３とを固定する第２固定機構２０と、を備えている。第２固定機構２０は、ケース４の側面部４ｃに取り付けられた第１固定金具２１と、第１固定金具２１及び化粧パネル３に固定される第２固定金具２２と、を備えている。第２固定金具２２は、第１固定金具２１に固定されていない状態では待避位置と化粧パネル３が固定される位置である固定位置との間を往復動自在となるように、第１固定金具２１に取り付けられている。そして、本実施の形態１に係る室内機１００においては、第２固定金具２２が待避位置に移動した際、平面視において第１固定機構１０のネジ止め部と重なる位置に、ネジ止め部で室内機本体２とケース４とを固定する際に用いられる工具３１が挿入自在な第１空間３０が配置される構成となっている。
【００４１】
本実施の形態１に係る空気調和機の室内機１００においては、ケース４を室内機本体２に固定する際、第２固定機構２０の構成部品を取り外す必要がなく、第２固定機構２０の構成部品を仮置きする必要がない。したがって、本実施の形態１に係る空気調和機の室内機１００は、従来よりも据付作業性を向上させることが出来る。
【００４２】
実施の形態２．
第２固定機構２０の構成は、実施の形態１で示した構成に限定されない。第２固定金具２２が待避位置に移動した際、平面視において第１固定機構１０のネジ止め部と重なる位置に工具３１が挿入自在な第１空間３０が配置される構成となっていれば、第２固定機構２０の構成を適宜変更することができる。例えば、第２固定機構２０を、本実施の形態２のように構成してもよい。なお、本実施の形態２において、特に記述しない項目については実施の形態１と同様とし、実施の形態１と同一の機能及び構成については同一の符号を用いて述べることとする。
【００４３】
図９は、本発明の実施の形態２に係る第１固定機構及び第２固定機構周辺を斜め下方から見た斜視図である。図１０は、本発明の実施の形態２に係る第２固定機構の第２固定金具を斜め上方から見た斜視図である。図１１は、本発明の実施の形態２に係る第２固定機構の第１固定金具を斜め下方から見た斜視図である。また、図１２は、本発明の実施の形態２に係る第２固定機構を斜め上方から見た斜視図であり、第２固定機構の動作を説明するための図である。なお、図９は、ケース４の下部に化粧パネル３が取り付けられていない状態を示している。また、図１２（ａ）は、第２固定機構２０の第２固定金具２２が固定位置に配置されている状態を示している。また、図９及び図１２（ｂ）は、第２固定機構２０の第２固定金具２２が待避位置に配置されている状態を示している。
【００４４】
本実施の形態２に係る第２固定金具２２には、横方向配置部２２ｆに、上下方向に貫通する開口２２ｇが形成されている。そして、第２固定金具２２が待避位置に移動した際、開口２２ｇは、平面視において第１固定機構１０のネジ止め部と重なる位置に配置される。すなわち、第２固定金具２２が待避位置に移動した際、開口２２ｇは、工具３１が挿入自在な第１空間３０となる。
【００４５】
詳しくは、本実施の形態２に係る第２固定金具２２は、貫通穴２２ａの横方向の幅が第１固定金具２１の凸部２１ａの横方向の幅よりも広くなっている。このため、第２固定金具２２が第１固定金具２１に固定されていない状態では、第２固定金具２２は、貫通穴２２ａの横幅方向に往復動自在となる。換言すると、第２固定金具２２が第１固定金具２１に固定されていない状態では、第２固定金具２２は、ケース４の側面部４ｃに沿って往復動自在となる。なお、本実施の形態２に係る第２固定金具２２は、凸部２１ａの根本付近において、ケース４の側面部４ｃに沿って往復動する。このため、本実施の形態２に係る第１固定金具２１では、待避位置にて第２固定金具２２を固定する切り欠き部２１ｄは、凸部２１ａの根元付近に設けられている。
【００４６】
このように構成された第２固定機構２０を備えた室内機１００においては、第１固定機構１０で室内機本体２及びケース４を固定する前に、雄ネジ２３を緩めて、第２固定金具２２を図９に示す待避位置へ移動させる。具体的には、図１２（ｂ）に白抜き矢印で示すように、第２固定金具２２をケース４の側面部４ｃに沿って移動させる。そして、切り欠き部２１ｄに貫通穴２２ａの周縁をかみ合せ、第２固定金具２２を第１固定金具２１に固定する。そして、図９に示すように、雄ネジ１３を下方から固定金具１１の雌ネジ１１ａにねじ込んでいくことにより、雄ネジ１３の頭部と固定金具１１の下面との間に、ケース４に設けられた固定金具１２を挟み込む。これにより、ケース４は、室内機本体２に固定される。
【００４７】
以上、本実施の形態２に係る空気調和機の室内機１００においても、実施の形態１と同様に、第２固定金具２２が待避位置に移動した際、平面視において第１固定機構１０のネジ止め部と重なる位置に、ネジ止め部で室内機本体２とケース４とを固定する際に用いられる工具３１が挿入自在な第１空間３０が配置される構成となっている。このため、本実施の形態２に係る空気調和機の室内機１００においても、実施の形態１と同様に、従来よりも据付作業性を向上させることが出来る。
【００４８】
実施の形態３．
本実施の形態３では、実施の形態１又は実施の形態２で示した室内機１００を備えた空気調和機の一例について説明する。なお、本実施の形態３において、特に記述しない項目については実施の形態１又は実施の形態２と同様とし、実施の形態１又は実施の形態２と同一の機能及び構成については同一の符号を用いて述べることとする。
【００４９】
図１３は、本発明の実施の形態３に係る空気調和機の一例を示す冷媒回路図である。なお、図１３に示す実線の矢印は、冷房運転時の冷媒の流れ方向を示している。また、図１３に示す破線の矢印は、暖房運転時の冷媒の流れを示している。
本実施の形態３に係る空気調和機５００は、実施の形態１又は実施の形態２で示した室内機１００と、室外機２００とを備えている。室内機１００と室外機２００とは、ガス冷媒配管３００及び液冷媒配管４００により配管接続されている。室内機１００は、室内熱交換器１１０を有している。室外機２００は、圧縮機２１０、四方弁２２０、室外熱交換器２３０及び膨張弁２４０を有している。
【００５０】
圧縮機２１０は、吸入した冷媒を圧縮して吐出する。ここで、特に限定するものではないが、圧縮機２１０は、例えばインバータ回路等によって運転周波数を任意に変化させることにより、圧縮機２１０の容量を変化させることができるようにしてもよい。なお、圧縮機２１０の容量とは、単位時間あたりの冷媒を送り出す量を表すものである。四方弁２２０は、例えば冷房運転時と暖房運転時とによって冷媒の流れを切り換える弁である。
【００５１】
室外熱交換器２３０は、冷媒と室外空気との熱交換を行う。室外熱交換器２３０は、暖房運転時においては蒸発器として機能し、冷媒を蒸発させて気化させる。また、室外熱交換器２３０は、冷房運転時においては凝縮器として機能し、冷媒を凝縮して液化させる。
【００５２】
膨張弁２４０は、例えば絞り装置等であり、冷媒を減圧して膨張させる。例えば、電子式膨張弁等で膨張弁２４０を構成した場合には、膨張弁２４０は、図示せぬ制御装置等の指示に基づいて開度調整が行われる。室内熱交換器１１０は、空調対象空間の空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させて気化させる。
【００５３】
以上のように空気調和機５００を構成することで、室外機２００の四方弁２２０により冷媒の流れを切り換えることで、暖房運転及び冷房運転を実現することができる。
【符号の説明】
【００５４】
１  筐体、２  室内機本体、２ａ  側面部、３  化粧パネル、３ａ  吸込口、３ｂ  吹出口、３ｃ  貫通穴、４  ケース、４ａ  吸込流路、４ｂ  吹出流路、４ｃ  側面部、５  左右風向調節部、５ａ  左右風向調節板、１０  第１固定機構、１１  固定金具、１１ａ  雌ネジ、１２  固定金具、１２ａ  貫通穴、１２ｂ  雄ネジ保持部材、１３  雄ネジ、２０  第２固定機構、２１  第１固定金具、２１ａ  凸部、２１ｂ  雌ネジ、２１ｃ  ストッパー、２１ｄ  切り欠き部、２２  第２固定金具、２２ａ  貫通穴、２２ｂ  貫通穴、２２ｃ  上端、２２ｄ  雌ネジ、２２ｅ  上下方向配置部、２２ｆ  横方向配置部、２２ｇ  開口、２３  雄ネジ、２３ａ  先端、２４  雄ネジ、３０  第１空間、３１  工具、１００  室内機、１１０  室内熱交換器、２００  室外機、２１０  圧縮機、２２０  四方弁、２３０  室外熱交換器、２４０  膨張弁、３００  ガス冷媒配管、４００  液冷媒配管、５００  空気調和機。
【図１】
2019159314.tif 000003
【図２】
2019159314.tif 000004
【図３】
2019159314.tif 000005
【図４】
2019159314.tif 000006
【図５】
2019159314.tif 000007
【図６】
2019159314.tif 000008
【図７】
2019159314.tif 000009
【図８】
2019159314.tif 000010
【図９】
2019159314.tif 000011
【図１０】
2019159314.tif 000012
【図１１】
2019159314.tif 000013
【図１２】
2019159314.tif 000014
【図１３】
2019159314.tif 000015
【手続補正書】
【提出日】令和2年6月9日(2020.6.9)
【手続補正１】
【補正対象書類名】明細書
【補正対象項目名】０００９
【補正方法】変更
【補正の内容】
【０００９】
本発明に係る空気調和機の室内機は、室内機本体と、前記室内機本体の下部に取り付けられたケースと、前記ケースの下部に取り付けられた化粧パネルと、前記室内機本体と前記ケースとを固定するネジ止め部を有する第１固定機構と、前記ケースと前記化粧パネルとを固定する第２固定機構と、を備え、前記第２固定機構は、前記ケースの側面部に取り付けられた第１固定金具と、前記第１固定金具及び前記化粧パネルに固定される第２固定金具と、を備え、前記第１固定金具は、前記ケースの前記側面部から離れる方向に突出する凸部を有し、前記第２固定金具には、前記凸部が摺動自在に挿入された貫通穴が形成されており、前記第２固定金具は、前記第１固定金具に固定されていない状態では待避位置と前記化粧パネルが固定される位置である固定位置との間を、前記ケースの前記側面部に近づく方向及び前記ケースの前記側面部から離れる方向に往復動自在となるように、前記第１固定金具に取り付けられており、前記第２固定金具の前記待避位置は、前記第２固定金具の前記固定位置よりも前記ケースの前記側面部から離れた位置であり、前記第２固定金具が前記待避位置に移動した際、前記第１固定金具と前記第２固定金具との間に、平面視において前記ネジ止め部と重なる位置に、前記ネジ止め部で前記室内機本体と前記ケースとを固定する際に用いられる工具が挿入自在な第１空間が配置される構成となっている。
【手続補正２】
【補正対象書類名】特許請求の範囲
【補正対象項目名】全文
【補正方法】変更
【補正の内容】
【特許請求の範囲】
【請求項１】
室内機本体と、
前記室内機本体の下部に取り付けられたケースと、
前記ケースの下部に取り付けられた化粧パネルと、
前記室内機本体と前記ケースとを固定するネジ止め部を有する第１固定機構と、
前記ケースと前記化粧パネルとを固定する第２固定機構と、
を備え、
前記第２固定機構は、前記ケースの側面部に取り付けられた第１固定金具と、
前記第１固定金具及び前記化粧パネルに固定される第２固定金具と、
を備え、
前記第１固定金具は、前記ケースの前記側面部から離れる方向に突出する凸部を有し、
前記第２固定金具には、前記凸部が摺動自在に挿入された貫通穴が形成されており、
前記第２固定金具は、前記第１固定金具に固定されていない状態では待避位置と前記化粧パネルが固定される位置である固定位置との間を、前記ケースの前記側面部に近づく方向及び前記ケースの前記側面部から離れる方向に往復動自在となるように、前記第１固定金具に取り付けられており、
前記第２固定金具の前記待避位置は、前記第２固定金具の前記固定位置よりも前記ケースの前記側面部から離れた位置であり、
前記第２固定金具が前記待避位置に移動した際、前記第１固定金具と前記第２固定金具との間に、平面視において前記ネジ止め部と重なる位置に、前記ネジ止め部で前記室内機本体と前記ケースとを固定する際に用いられる工具が挿入自在な第１空間が配置される構成である空気調和機の室内機。
【請求項２】
室内機本体と、
前記室内機本体の下部に取り付けられたケースと、
前記ケースの下部に取り付けられた化粧パネルと、
前記室内機本体と前記ケースとを固定するネジ止め部を有する第１固定機構と、
前記ケースと前記化粧パネルとを固定する第２固定機構と、
を備え、
前記第２固定機構は、前記ケースの側面部に取り付けられた第１固定金具と、
前記第１固定金具及び前記化粧パネルに固定される第２固定金具と、
を備え、
前記第２固定金具は、前記第１固定金具に固定されていない状態では待避位置と前記化粧パネルが固定される位置である固定位置との間を往復動自在となるように、前記第１固定金具に取り付けられており、
前記第２固定金具には、上下方向に貫通する開口が形成されており、
前記開口は、前記第２固定金具が前記待避位置に移動した際、平面視において前記ネジ止め部と重なる位置に配置され、前記ネジ止め部で前記室内機本体と前記ケースとを固定する際に用いられる工具が挿入自在な前記第１空間となる空気調和機の室内機。
【請求項３】
前記第１固定金具は、前記ケースの前記側面部から離れる方向に突出する凸部を有し、
前記第２固定金具には、前記凸部が挿入された貫通穴が形成されており、
前記第２固定金具は、前記貫通穴の横方向の幅が前記凸部の横方向の幅よりも広く、前記第１固定金具に固定されていない状態では前記ケースの前記側面部に沿って往復動自在な構成である請求項２に記載の空気調和機の室内機。
【請求項４】
前記凸部は、先端に、前記第２固定金具と接触し、前記貫通穴から前記凸部が抜け出ることを防止するストッパーを備えている請求項１又は請求項３に記載の空気調和機の室内機。
【請求項５】
前記凸部は、前記第２固定金具が前記待避位置に配置されている状態において前記貫通穴と対向する位置に切り欠き部を有し、
前記切り欠き部に前記貫通穴の周縁をかみ合わせることにより、前記第２固定金具が固定される構成である請求項１、請求項３又は請求項４のいずれか一項に記載の空気調和機の室内機。
【国際調査報告】
2019159314.tif 000016
2019159314.tif 000017
2019159314.tif 000018